(57)【要約】【課題】本発明が解決しようとする課題は、社交ダンス用シューズにおいて、靴底表皮として張られているバックスキン等の張替えを容易にすることである。【解決手段】社交ダンス用シューズにおいて、靴底の一部にバックスキン等の柔軟な靴底表皮がマジックファスナー（登録商標）、マジックテープ（登録商標）などの面ファスナーを利用して装着していることを特徴としている。【選択図】図１
2006055573.tif 000002
【特許請求の範囲】
【請求項１】
靴底の一部にバックスキン等の柔軟な靴底表皮が面ファスナーを利用して装着していることを特徴とした社交用ダンスシューズ。
【請求項２】
一対の面ファスナーの一方の面がシューズのヒール部側面に設けられていることを特徴とした請求項１記載の社交用ダンスシューズ。
【発明の詳細な説明】
【技術分野】
【０００１】  この発明は、靴底の表皮を容易に装着脱可能にした社交ダンス用のシューズに関するものである。
【背景技術】
【０００２】  社交ダンス用のシューズは、滑りにくく、ダンスフロアを傷つけないように、靴底表層部がバックスキン等のような柔らかい靴底表皮でできているため、滑りにくい分だけ靴底表層部が磨耗し易く耐久性がない。そして靴底表層部には滑り止めの効果を上げるために石灰粉などを使用しているから、滑り止め効果を維持するためには定期的に古く固まった靴底表面の石灰粉などをワイヤーブラシ等で取り除かなければならない。この行為が靴底表層部を構成するバックスキン等靴底表皮の磨耗損傷をさらに加速させてしまっている。
磨耗して破れた靴底の表皮は、接着剤を使って新たなバックスキン等の靴底表皮に張り替える必要があるため、その張替頻度の多いいことが問題になっていた。
【発明の開示】
【発明が解決しようとする課題】
【０００３】  本発明が解決しようとする課題は、社交ダンス用シューズにおいて、靴底表皮として張られているパックスキン等の張替えを容易にすることである。
【発明を解決するための手段】
【０００４】  本発明を解決するための手段としては、靴底の一部にバックスキン等の柔軟な靴底表皮がマジックファスナー（登録商標）、マジックテープ（登録商標）などの面ファスナーを利用して装着していることを特徴とした社交ダンス用シューズを請求項１に提示した。
【０００５】  又、請求項１において、マジックファスナー（登録商標）、マジックテープ（登録商標）などの一対の面ファスナーの一方の面をシューズのヒール部側面に設けることにより、女性用ハイヒールのようにヒール部靴底の面積が小さい場合においても、靴底にバックスキン等の柔軟な靴底表皮をしっかりと装着できる。
【発明の効果】
【０００６】  請求項１の本発明によれば、社交ダンス用シューズの靴底表皮が靴底にマジックファスナー等の面ファスナーを利用して装着されているので、靴底表皮の交換が簡単に行えるばかりかマジックファスナー等の面ファスナーそのものがクッションの役割も果たすので、ダンスをしている最中の足にかかる衝撃を吸収軽減してくれる効果がある。
【０００７】  請求項２の本発明によれば、社交用のダンスシューズが女性用のハイヒールのようにヒール部の底面積が小さい場合でも、容易にかつしっかりとバックスキン等の柔軟な靴底表皮を靴底に装着できる。
【発明を実施するための最良の形態】
【０００８】  図１は、本発明による社交ダンス用シューズの正面図である。社交ダンス用シューズ１には靴側皮２に固着している靴底３にマジックファスナー４を利用してバックスキン等の靴底表皮５が装着されている。
この実施例ではバックスキン等の靴底表皮５を靴底３の爪先部とヒール部に分離して装着しているが、滑る心配が少なく、ダンスフロアを損傷させる心配が少ない場合等には、爪先部の靴底３にはバックスキンの靴底表皮５を装着しなくてもよい。
図２に示したとおり、マジックファスナー４は、オス側マジックファスナー４１とメス側マジックファスナー４２の一対で構成されているので、いずれか一方を靴底３に接着剤で固着し、他方はバックスキン等の靴底表皮５に固着する。図２では、オス側マジックファスナー４１が靴底３に、メス側マジックファスナー４２がバックスキン等の靴底表皮５に固着している。
これによりバックスキン等の靴底表皮５は必要によりマジックファスナー４において靴底３から手で簡単に分離できる。【０００９】  本発明に用いられる靴底表皮材は、バックスキンのほか、羊皮、馬皮、牛皮などの柔軟な皮材でもよい。
また、面ファスナーには、市販されているマジックテープ（登録商標）やマジックファスナー（登録商標）などで充分である。
【実施形態の効果】
【００１０】  上記実施例の本発明ではバックスキン等の靴底表皮５が靴底３から容易に分離できるので、磨耗して破れたバックスキン等の靴底表皮５を新しいものと簡単に交換できる。そればかりでなくマジックファスナー４は毛状の樹脂で接着面が構成されているので、靴底３に装着した場合にはシューズに体重を掛けたときにクッションの働きをするので、足に過度の負担がかからない利点がある。
【他の実施形態】
【００１１】  図３および図４は、図１に示したような社交用のダンスシューズにおいて、靴底３のヒール部分３１の高さが高く、ヒール部３１の側面に一対のマジックファスナーの一方の面が固着できる場合において、バックスキンの靴底表皮５を装着した実施例を説明する図である。
図３は、４個の面ファスナーの各々一方のオス側マジックファスナー４１を固着した十字形状のバックスキン等の靴底表皮５のほぼ中央部上に、４個の面ファスナーの各々他方のメス側マジックファスナー４２をヒール部３１の側面に固着した状態で、ヒール部３１がその底面で載った状態を示している。
前記バックスキン等の靴底表皮５の形状は十字形状に限られるものではなく、バックスキン等の靴底表皮５でヒール部３１の底面からヒール部３１の側面にかけて覆うときにバックスキン等の靴底表皮５同士で重ならないよう放射状に適当なスリットが入った形状が好ましい。
図４は，図３のＡＡ断面図である。
【００１２】  図３および図４に示す状態からバックススキン等の靴底表皮５のオス側マジックファスナー４１が固着している部分を図３に示した矢印の方向に曲げて、ヒール部３１の側面に固着しているメス側マジックファスナー４２に接続させるとヒール部３１の底面がバックスキン等の靴底表皮５で覆われた状態でしっかりと装着できる。
【００１３】  この実施例は、女性用ハイヒールのダンスシューズのようにヒール部底面の面積が小さく、バックスキン等の靴底表皮を、ヒール部底面に面ファスナーを介して装着してもすぐに剥離してしまうようなケースに好適である
【図面の簡単な説明】
【００１４】
【図１】は、社交ダンス用シューズの正面図
【図２】は、社交ダンス用シューズの靴底３にバックスキン等の靴底表皮５がマジックファスナー４を介して装着する前の状態を示す断面図
【図３】は、ダンスシューズのヒール部３１底面をバックスキン等の靴底表皮５のほぼ中央部に上に載せた状態を示した立面図。
【図４】は、図３のＡＡ断面図。
【符号の説明】
【００１５】  １…社交ダンス用シューズ、２…靴側皮、３…靴底、４…マジックファスナー、５…バックスキン等の靴底表皮、３１…ヒール部、４１…オス側マジックファスナー、４２…メス側マジックファスナー
【図１】
2006055573.tif 000003
【図２】
2006055573.tif 000004
【図３】
2006055573.tif 000005
【図４】
2006055573.tif 000006